(57)【要約】【課題】  植替えが容易に可能な植木鉢を提供する。【解決手段】  開口する上端が、開口する下端より大径である筒状の側体（１１）と、側体（１１）の下端寄りに内側から嵌め合わされることにより係合可能であり、かつ、側体（１１）の上端の開口部から取り出し可能な底体（１２）とからなる。また、底体（１２）の周囲の少なくとも一部が、側体（１１）の内側に沿うように延びる鍔（１２ｂ）を備えることが望ましい。また、底体の下側面の中央に、窪み（図示略）を備えることが望ましい。【選択図】  図１
2005124426.tif 000002
【特許請求の範囲】
【請求項１】
開口する上端が、開口する下端より大径である筒状の側体と、該側体の下端寄りに内側から嵌め合わされることにより係合可能であり、かつ、該側体の上端の開口部から取り出し可能な底体とからなる植木鉢。
【請求項２】
少なくとも底体の下端面で設置されるように、寸法付けられることを特徴とする請求項１に記載の植木鉢。
【請求項３】
前記側体の下端寄りの内側の少なくとも１箇所以上に、嵌合部を設け、該嵌合部に嵌合可能な位置で、前記底体の下端面の周囲に嵌合部を設けることを特徴とする請求項１または２に記載の植木鉢。
【請求項４】
前記側体の下端寄りの内側の少なくとも１箇所以上に、突起を設け、前記底体を、該突起に載せるように、それぞれ寸法付けられることを特徴とする請求項１から３のいずれかに記載の植木鉢。
【請求項５】
前記底体の周囲の少なくとも一部が、前記側体の内側に沿うように延びる鍔を備えることを特徴とする請求項１から４のいずれかに記載の植木鉢。
【請求項６】
前記底体の下側面の中央に、窪みを備えることを特徴とする請求項１から５のいずれかに記載の植木鉢。
【請求項７】
前記底体の上側面の少なくとも一部に、水を受け、蓄えることが可能なリブを有することを特徴とする請求項１から６のいずれかに記載の植木鉢。
【請求項８】
前記底体の上側面の少なくとも一部に、直線状または蜷局状のスリットと、該スリットの最も低い箇所に水抜き孔を備えることを特徴とする請求項１から７のいずれかに記載の植木鉢。
【請求項９】
開口する上端が、開口する下端より相似的に大きい角筒状の側体と、該側体の下端寄りに内側から嵌め合わされることにより係合可能であり、かつ、該側体の上端の開口部から取り出し可能な底体とからなる植木鉢。
【発明の詳細な説明】
【技術分野】
【０００１】
本発明は、植替えが簡単な植木鉢に関する。
【背景技術】
【０００２】
植木鉢で成長した植木は、大きい植木鉢やプランターなどに植え替えることが必要になる。
【０００３】
しかし、年数が経っていて、根が土の中に一杯に広がっているような場合は、根の周囲の土を掘ることができず、植木の幹を握って引っ張るしかなく、植替えが困難であった。
【０００４】
また、従来の植木鉢は、底に水抜き孔が明けられており、植替えの際に、この水抜き孔から棒を挿入し、水抜き孔の上に置かれた底石を押し込むことにより、土を押し上げることもあったが、棒が土に差し込まれて、やはり根が傷つき、植替えは同様に困難であった。
【０００５】
従来、植替えを容易に行うために、例えば、実用新案登録第３０７６９５９号公報のような考案があった。該公報には、底石状の小片を入れ植木鉢の底に置くネット袋体に紐体を取り付け、該紐体を植木鉢の外に出しておき、植替えの際に紐体を引くだけで、土ごと植木を取り出すことができる。
【０００６】
しかし、予めネット袋体を用意しなければならない問題や、経年の劣化により紐体が切れたり、紐体が土中に紛れるなどの問題があり、植替えが容易に可能な植木鉢が求められていた。
【特許文献１】実用新案登録第３０７６９５９号公報
【発明の開示】
【発明が解決しようとする課題】
【０００７】
本発明の目的は、植替えが容易に可能な植木鉢を提供することを目的とする。
【課題を解決するための手段】
【０００８】
本発明に係る植木鉢は、開口する上端が、開口する下端より大径である筒状の側体と、該側体の下端寄りに内側から嵌め合わされることにより係合可能であり、かつ、該側体の上端の開口部から取り出し可能な底体とからなる。
【０００９】
さらに、少なくとも底体の下端面で設置されるように、寸法付けられることが望ましい。
【００１０】
また、前記側体の下端寄りの内側の少なくとも１箇所以上に、嵌合部を設け、該嵌合部に嵌合可能な位置で、前記底体の下端面の周囲に嵌合部を設けることが望ましい。
【００１１】
また、前記側体の下端寄りの内側の少なくとも１箇所以上に、突起を設け、前記底体を、該突起に載せるように、それぞれ寸法付けられることが望ましい。
【００１２】
また、前記底体の周囲の少なくとも一部が、前記側体の内側に沿うように延びる鍔を備えることが望ましい。
【００１３】
また、前記底体の下側面の中央に、窪みを備えることが望ましい。
【００１４】
また、前記底体の上側面の少なくとも一部に、水を受け、蓄えることが可能なリブを有することが望ましい。
【００１５】
また、前記底体の上側面の少なくとも一部に、直線状または蜷局状のスリットと、該スリットの最も低い箇所に水抜き孔を備えることが望ましい。
【００１６】
本発明に係る植木鉢は、逆円錐台形ばかりでなく、上から見て正方形や長方形である逆角錐台形や、角が丸い逆角錐台形であってもよい。従って、逆円錐台形の場合に開口部で比較した径の大小は、逆角錐台形の開口部では辺の長さにあたり、本発明の植木鉢は、開口する上端が、開口する下端より相似的に大きい角筒状の側体と、該側体の下端寄りに内側から嵌め合わされることにより係合可能であり、かつ、該側体の上端の開口部から取り出し可能な底体とからなっていてもよい。
【発明の効果】
【００１７】
本発明により、植替えが容易に可能な植木鉢を提供することが可能となった。さらに、側体と底体を分割できるので、洗浄が容易になり、再使用にかかる手間と労力を省くことができるという追加効果を得ることができた。
【発明を実施するための最良の形態】
【００１８】
本発明の植木鉢を、図面を参照して説明する。
【００１９】
図１は、本発明の植木鉢の一実施例を示す断面図である。
【００２０】
植木鉢（１０）は、開口する上端が、開口する下端より大径である筒状の側体（１１）と、側体（１１）の下端寄りに内側から嵌め合わされることにより係合可能であり、かつ、側体（１１）の上端の開口部から取り出し可能な底体（１２）とからなる。土や植木を収納した際には、底体（１２）の下端面で設置される。
【００２１】
底体（１２）を側体（１１）の上方から入れて、上端よりも小径である下端の内側に嵌め込むように、押し下げることにより、植木鉢（１０）を容易に組み立てることができる。
【００２２】
また、底体（１２）の周囲が、側体（１１）の内側に沿うように延びる鍔（１２ｂ）  を備えているので、大型の植木鉢であっても、高い強度が得られ、底体（１２）が側体（１１）から外れず、安定して使用することができる。
【００２３】
植替え時には、底体（１２）を突き上げるように小さい台などに載せ、側体（１１）を下げるように力を加える程度で、側体（１１）の上端が下端よりも大径であるから、土が側体（１１）から容易に離れる。その後、底体（１２）を外して、植木の植替えを行う。
【００２４】
図２は、本発明の植木鉢の一実施例を示す断面図（Ａ）、側体（２１）を示す平面図（Ｂ）および底体（２２）を示す底面図（Ｃ）である。
【００２５】
側体（２１）の下端寄りの内側の１箇所以上（図示した例では４箇所）に、溝状の嵌合部（２１ａ）を設け、嵌合部（２１ａ）に嵌合可能な位置で、底体（２２）の下端面の周囲に突起状の嵌合部（２２ｂ）を設ける。
【００２６】
底体（２２）を側体（２１）の上方から入れて、底体（２２）の嵌合部（２２ａ）を、側体（２１）の嵌合部（２１ａ）に差し込むようにして、押し下げることにより、植木鉢（２０）を容易に組み立てることができる。
【００２７】
植替え時には、前述と同様に、土を側体（２１）から容易に離すことができ、その後、底体（１２）を外して、植木の植替えを行う。
【００２８】
図３は、本発明の植木鉢の一実施例を示す断面図である。
【００２９】
植木鉢（３０）は、開口する上端が、開口する下端より大径である筒状の側体（３１）と、側体（３１）の下端寄りに内側から嵌め合わされることにより係合可能であり、かつ、側体（３１）の上端の開口部から取り出し可能な底体（３２）とからなり、側体（３１）の下端寄りの内側に、突起（３１ａ）を設ける。突起（３１ａ）は、全周に及んでもよいし、数カ所でもよい。底体（３２）は、突起（３１ａ）に載せる。使用方法は、前述と同様である。
【００３０】
図４は、本発明の植木鉢の一実施例を示す断面図である。
【００３１】
本実施例の植木鉢（４０）は、底体（４２）の下側面の中央に、窪み（４２ｂ）を備える。植替え時に、この窪み（４２ｂ）に、棒のような支柱をあてがうだけで、土を側体（４１）から至って容易に離すことが可能となる。
【００３２】
図５は、底体の一実施例を示す平面図および断面図である。
【００３３】
底体（５２）の上側面に、水を受け、蓄えることが可能なリブ（５２ｂ）を有する。リブ（５２ｂ）の中央の下側には、前述と同様の窪み（５２ｃ）を設ける。
【００３４】
図６は、底体の一実施例を示す平面図および断面図である。
【００３５】
底体（６２）の上側面に、直線状のスリット（６２ｂ）と、スリット（６２ｂ）の最も低い箇所に水抜き孔（６２ａ）を備える。
【００３６】
図７は、底体の一実施例を示す平面図および断面図である。
【００３７】
底体（７２）の上側面に、蜷局状のスリット（７２ｂ）と、スリット（７２ｂ）の最も低い箇所に水抜き孔（７２ａ）を備える。
【００３８】
底体（５２）、（６２）、（７２）のように、上側面を排水が良好とし、かつ、若干の保水性を持たせれば、土の表面が乾いていても、適度な水分を長く根に与えることができ、水枯れ防止になる。
【図面の簡単な説明】
【００３９】
【図１】本発明の植木鉢の一実施例を示す断面図である。
【図２】本発明の植木鉢の一実施例を示す断面図、側体を示す平面図および底体を示す底面図である。
【図３】本発明の植木鉢の一実施例を示す断面図である。
【図４】本発明の植木鉢の一実施例を示す断面図である。
【図５】底体の一実施例を示す平面図および断面図である。
【図６】底体の一実施例を示す平面図および断面図である。
【図７】底体の一実施例を示す平面図および断面図である。
【符号の説明】
【００４０】
１０、２０、３０、４０  植木鉢
１１、２１、３１、４１  側体
１２、２２、３２、４２、５２、６２、７２  底体
１２ａ、２２ａ、３２ａ、４２ａ、５２ａ、６２ａ、７２ａ  水抜き孔
１２ｂ  鍔
２１ａ  溝
２２ｂ、３１ａ、４１ａ  突起
４２ｂ、５２ｃ  窪み
５２ｂ  リブ
６２ｂ  スリット状の溝
７２ｂ  蜷局状の溝
【図１】
2005124426.tif 000003
【図２】
2005124426.tif 000004
【図３】
2005124426.tif 000005
【図４】
2005124426.tif 000006
【図５】
2005124426.tif 000007
【図６】
2005124426.tif 000008
【図７】
2005124426.tif 000009